(57)【要約】【課題】低電力消費により効率的に非線形性を補償する、改善された電力増幅器を提供する。【解決手段】増幅システムは、入力信号を受信して、前置歪信号を生成する前置補償器と、前置歪信号を受信して、前置増幅された信号を生成する第１の変換器と、前置増幅された信号を受信して、前置増幅された信号および入力信号に基づいて出力信号を生成する電力増幅器と、出力信号をサンプリングして、フィードバック信号を生成する第２の変換器とを含んでもよい。電力増幅器は、第１の周波数で歪信号を作り出す場合があり、第２の変換器は、第１の周波数よりも低い第２の周波数によるタイミング信号を使用して出力信号をサンプリングして、フィードバック信号を生成してもよく、前置補償器は、フィードバック信号に基づいて、前置歪信号を前置補償して、第１の周波数での歪信号を低減してもよい。【選択図】図１
2014179981.tif 000002
【特許請求の範囲】
【請求項１】
増幅システムであって、
前記システムによって伝送されるべき入力信号を受信する、前置補償器と、
前記前置補償器の出力を受信して、前置増幅された信号を生成する、第１の変換器と、
前記前置増幅された信号を受信して、前記前置増幅された信号に基づいて出力信号を生成する、電力増幅器と、
前記出力信号をサンプリングして、フィードバック信号を生成する、第２の変換器と、を備え、
前記前置補償器が、前記第２の変換器の出力に応答して、前置歪信号を前記入力信号に導入する、増幅システム。
【請求項２】
前記第１の変換器が、前記第２の変換器のタイミング信号に基づいて、前記前置増幅された信号を生成する、請求項１に記載の増幅システム。
【請求項３】
前記第２の変換器が、前記第１の周波数よりも低い第２の周波数によるタイミング信号を使用して前記出力信号をサンプリングして、前記フィードバック信号を生成し、前記第２の周波数が、前記前置歪信号の周波数よりも大きい、請求項１に記載の増幅システム。
【請求項４】
前記第１の変換器が、デジタル・アナログ変換器を備える、請求項１に記載の増幅システム。
【請求項５】
前記第２の変換器が、前記第２の周波数の各サンプリング周期内で１回を超えて前記出力信号をサンプリングする、アナログ・デジタル変換器を備える、請求項３に記載の増幅システム。
【請求項６】
前記第２の変換器が、前記第２の周波数のサンプリング周期内で前記出力信号を順次サンプリングするように順番に作動される、複数のアナログ・デジタル変換器を備える、請求項３に記載の増幅システム。
【請求項７】
前記前置補償器が、前記入力信号を変形して前記前置歪信号を生成するための、フィルタおよび前記フィルタを調整する制御装置を備える、請求項１に記載の増幅システム。
【請求項８】
方法であって、
第１の変換器によって、前置歪信号に基づいて前置増幅された信号を生成することと、
電力増幅器によって、前記前置増幅された信号および入力信号に基づいて出力信号を生成することと、
第２の変換器によって、前記出力信号をサンプリングして、フィードバック信号を生成することと、
前置補償器によって、前記入力信号に基づいて前記前置歪信号を生成することと、を含み、
前記前置補償器が、前記第２の変換器の出力に応答して、前置歪信号を前記入力信号に導入する、方法。
【請求項９】
前記第１の変換器が、前記第２の変換器の前記タイミング信号に基づいて、前記前置増幅された信号を生成する、請求項８に記載の方法。
【請求項１０】
前記第２の変換器が、前記第１の周波数よりも低い第２の周波数によるタイミング信号を使用して前記出力信号をサンプリングして、前記フィードバック信号を生成し、前記第２の周波数が、前記前置歪信号の周波数よりも大きい、請求項８に記載の方法。
【請求項１１】
前記第１の変換器が、デジタル・アナログ変換器を備える、請求項８に記載の方法。
【請求項１２】
前記第２の変換器が、前記第２の周波数の各サンプリング周期内で１回を超えて前記出力信号をサンプリングする、アナログ・デジタル変換器を備える、請求項１０に記載の方法。
【請求項１３】
前記第２の変換器が、前記第２の周波数のサンプリング周期内で前記出力信号を順次サンプリングするように順番に作動される、複数のアナログ・デジタル変換器を備える、請求項１０に記載の方法。
【請求項１４】
前記前置補償器が、前記入力信号を変形して前記前置歪信号を生成するための、フィルタおよび前記フィルタを調整する制御装置を備える、請求項８に記載の方法。
【請求項１５】
非一時的なコンピュータ可読媒体であって、プロセッサによって、
第１の変換器によって、前置歪信号に基づいて前置増幅された信号を生成することと、
電力増幅器によって、前記前置増幅された信号および入力信号に基づいて出力信号を生成することと、
第２の変換器によって、前記出力信号をサンプリングして、フィードバック信号を生成することと、
前置補償器によって、前記入力信号に基づいて前記前置歪信号を生成することと、を行うように実行可能であり、
前記前置補償器が、前記第２の変換器の出力に応答して、前置歪信号を前記入力信号に導入する、非一時的なコンピュータ可読媒体。
【請求項１６】
前記第１の変換器が、前記第２の変換器の前記タイミング信号に基づいて、前記前置増幅された信号を生成する、請求項１５に記載の非一時的なコンピュータ可読媒体。
【請求項１７】
前記第２の変換器が、前記第１の周波数よりも低い第２の周波数によるタイミング信号を使用して前記出力信号をサンプリングして、前記フィードバック信号を生成し、前記第２の周波数が、前記前置歪信号の周波数よりも大きい、請求項１５に記載の非一時的なコンピュータ可読媒体。
【請求項１８】
前記第１の変換器が、デジタル・アナログ変換器を備える、請求項１５に記載の非一時的なコンピュータ可読媒体。
【請求項１９】
前記第２の変換器が、前記第２の周波数の各サンプリング周期内で１回を超えて前記出力信号をサンプリングする、アナログ・デジタル変換器を備える、請求項１７に記載の非一時的なコンピュータ可読媒体。
【請求項２０】
前記第２の変換器が、前記第２の周波数のサンプリング周期内で前記出力信号を順次サンプリングするように順番に作動される、複数のアナログ・デジタル変換器を備える、請求項１７に記載の非一時的なコンピュータ可読媒体。
【発明の詳細な説明】
【背景技術】
【０００１】
電力増幅器（ＰＡ）は、無線通信のための放送機器において等、種々の用途に使用され得る。放送機器は、ベーストランシーバ基地局（ＢＴＳ）もしくはユーザ機器（ＵＥ）、またはＬＴＥ、ＷｉＭａｘ、ＷｉＦｉ、ＣＤＭＡ、ＧＳＭ(登録商標)、ＥＤＧＥ、およびＵＭＴＳ規格等の、無線移動通信のために使用される他のトランシーバ機器内に含まれ得る。
【０００２】
電力増幅器は、理想的には、入力信号の完全な線形増幅である出力信号を作り出す。しかしながら、それらが製造されるとき、電力増幅器はしばしば、非理想的回路に起因して、それらの出力信号に歪みを与える。出力信号におけるかかる歪みを低減するために、電力増幅器における非線形挙動を補償するための追加の回路部品が、増幅システムに追加される。かかる追加の回路は、しかしながら、しばしば追加の電力を消費する。加えて、高速通信用途を支援するために必要とされる帯域が増加するにつれて、かかる補償は、次第に困難で費用がかかるようになる。
【０００３】
例えば、ＢＴＳにおける典型的な電力増幅器は、ＢＴＳの費用および電力需要のかなりの部分、例えば、電力需要の３０％および費用の３０％に相当し得る。典型的な電力増幅器は、１つ以上の非線形性ゾーンを有する場合があり、典型的な電力増幅器の非線形挙動は、電力供給、温度、ゲイン設定等の種々の要因によって影響を受ける場合がある。電力増幅器における非線形性は、無線送信機または受信機の性能を定量化するために使用される、エラーベクトル振幅（ＥＶＭ）を劣化させ、歪みに起因する信号帯域の拡散である、スペクトルリグロース（ｓｐｅｃｔｒａｌ  ｒｅｇｒｏｗｔｈ）を増加させる場合がある。
【０００４】
電力増幅器の非線形性は、周囲の要因に依存し得る。つまり、非線形性は、電力増幅が生じるときと同じ瞬間の、電力増幅器の条件に依存する。加えて、電力増幅器の非線形性は、電力増幅器のメモリ効果に依存し得る。つまり、電力増幅器の出力信号は、前の時点で生成された非線形歪みを含み得る。電力増幅器のメモリ効果に起因する歪みは、補償が困難であり得る。
【０００５】
故に、低電力消費により効率的に非線形性を補償する、改善された電力増幅器に対する必要性が存在する。
【発明の概要】
【課題を解決するための手段】
【０００６】
本開示の例となる実施形態によれば、増幅システムは、入力信号を受信して、前置歪信号を生成する前置補償器と、前置歪信号を受信して、前置増幅された信号を生成する第１の変換器と、前置増幅された信号を受信して、前置増幅された信号および入力信号に基づいて出力信号を生成する電力増幅器と、出力信号をサンプリングして、フィードバック信号を生成する第２の変換器とを含んでもよい。電力増幅器は、第１の周波数で歪信号を作り出す場合がある。第２の変換器は、第１の周波数よりも低い第２の周波数によるタイミング信号を使用して出力信号をサンプリングして、フィードバック信号を生成してもよく、前置補償器は、フィードバック信号に基づいて、前置歪信号を前置補償して、第１の周波数での歪信号を低減してもよい。
【図面の簡単な説明】
【０００７】
【図１】図１は、本開示の実施形態による、増幅システムの簡略ブロック図を例示する。
【図２】図２Ａおよび２Ｂは、本開示の実施形態による、アンダーサンプリングの模擬の周波数グラフを例示する。
【図３】図３Ａ〜３Ｃは、本開示の特徴による、例となるアンダーサンプリング信号系列を例示する。
【図４】図４は、本開示の実施形態による、例となる方法を例示する。
【発明を実施するための形態】
【０００８】
図１は、本開示のある実施形態を例示する。増幅システム１００は、入力信号を受信して、前置歪信号を生成する前置補償器（ｐｒｅｄｉｓｔｏｒｅｒ）１１０と、前置歪信号を受信して、前置増幅された信号を生成する第１の変換器１３０と、前置増幅された信号を受信して、前置増幅された信号および入力信号に基づいて出力信号を生成する電力増幅器１５０と、出力信号をサンプリングして、フィードバック信号を生成する第２の変換器１４０とを含んでもよい。
【０００９】
出力信号は、アンテナ１７０を介して伝送されてもよい。第２の変換器１４０は、結合１６０を介して出力信号を受信してもよい。第１の変換器１３０と電力増幅器１５０との間に、追加の部品、例えば、伝送路において信号を基底帯域／中間周波数（ＩＦ）から高周波（ＲＦ）に変換する変調器が存在してもよい。第２の変換器１３０と結合１６０との間に、追加の部品、例えば、受信／フィードバック路において信号をＲＦからＩＦ／基底帯域に変換する変調器が存在してもよい。追加の部品は、スーパーヘテロダインまたはゼロＩＦトランシーバを含んでもよい。
【００１０】
電力増幅器１５０は、非理想的回路挙動を有する場合がある。その出力は、第１の周波数の歪成分を含む場合がある。前置補償器１１０は、電力増幅器１５０によって導入される歪成分を測定し、電力増幅器の歪みを打ち消すための入力信号に対する前置歪成分を含む場合がある。具体的には、第２の変換器１４０は、結合器１６０を介して、第１の周波数よりも低い第２の周波数で出力信号をサンプリングして、フィードバック信号を生成してもよい。前置補償器１１０は、第２の変換器１４０の出力を、入力信号のローカルの表現と比較して、歪信号を推測し、それを打ち消してもよい。
【００１１】
ある実施形態において、前置補償器１１０は、フィルタ１１０．１および制御装置１１０．４を含んでもよい。フィルタ１１０．１は、制御器１１０．４によって提供されるフィルタパラメータに従って、前置歪信号成分を入力信号に導入してもよい。制御器１１０．４は、フィードバック信号を第２の変換器１４０から直接受信し、前置歪信号を前置補償するようにフィルタ１１０．１を制御して、電力増幅器１５０における非線形性を補償してもよい。
【００１２】
フィルタ１１０．１は、ルックアップテーブル（ＬＵＴ）を有するストレージを含んでもよい。フィルタ１１０．１は、非線形歪みに対する補償を含む多元の多項方程式に基づいて入力信号を歪め得る、多項式に基づくフィルタを含んでもよい。多項式に基づくフィルタは、大幅な追加の修正なしにＰＡのメモリ効果を効果的に補償することが可能であってもよい。通信用途に使用される前置補償器の多項式に基づくフィルタは、５次多項方程式により十分な補償を達成し得る。しかしながら、他の次数が可能である。
【００１３】
別の実施形態において、前置補償器１１０は、第１および第２のフィルタ１１０．１および１１０．２、減算器１１０．３、ならびに制御装置１１０．４を含んでもよい。第１のフィルタ１１０．１は、制御器１１０．４によって提供されるフィルタパラメータに従って、前置歪信号成分を入力信号に導入してもよい。第２のフィルタ１１０．２は、フィードバック信号を変形して、第２の前置歪信号を生成してもよい。次いで、コンパレータ１１０．３は、第２の前置歪信号をフィルタ１１０．１からの前置歪信号と比較して、エラー信号を作り出してもよく、それは、制御器１１０．４によって受信および使用されて、フィルタ１１０．１および第２のフィルタ１１０．２を制御および調整してもよい。
【００１４】
第１および第２のフィルタ１１０．１および１１０．２は、ＬＵＴを有するストレージを含んでもよい。第１および第２のフィルタ１１０．１および１１０．２は、多項式に基づくフィルタを含んでもよく、それは、非線形歪みに対する補償を含む多元の多項方程式に基づいて入力信号を歪めてもよい。多項式に基づくフィルタは、大幅な追加の修正なしにＰＡのメモリ効果を効果的に補償することが可能であってもよい。通信用途に使用される前置補償器の多項式に基づくフィルタは、５次多項方程式により十分な補償を達成し得る。しかしながら、他の次数が可能である。
【００１５】
制御器１１０．４は、フィルタ１１０．１および第２のフィルタ１１０．２の設定またはパラメータを調整するために、適応フィルタアルゴリズムに従って動作してもよい。適応フィルタアルゴリズムは、最小平均二乗（ＬＭＳ）、最小二乗（ＬＳ）、反復最小二乗（ＲＬＳ）、線形２次推定（ＬＱＥ、カルマンフィルタ）、またはベイズ推定アルゴリズムを含んでもよい。
【００１６】
加えて、制御器１１０．４は、増幅システム１００の性能を継続的に較正および改善するために、フィードバック信号またはエラー信号（ならびにＰＡの性能レベルおよび環境条件等の他の情報）のログを継続的に取り、それを監視する、学習アルゴリズムに従って動作してもよい。制御器１１０．４は、入力信号に対するフィードバック信号の時間遅延を補償するための時間遅延アルゴリズムを含んでもよい。
【００１７】
フィルタ１１０．１および第２のフィルタ１１０．２は各々、打切り離散時間ボルテラ級数方程式等の非線形性に関する多項方程式に従ってモデル化される、信号変形を行ってもよい。フィルタ１１０．１および第２のフィルタ１１０．２は、制御器１１０．４によって制御されるのと同じ信号変形機能を行ってもよい。制御器１１０．４は、非線形性に関する多項方程式の係数を更新および調整してもよい。
【００１８】
本開示の実施形態による、第１の変換器１３０は、第２の変換器１４０のタイミング信号に基づいて、前置増幅された信号を生成してもよい。つまり、第１の変換器のタイミングを、第２の変換器１４０のサンプリングタイミングに基づいて設定して、第１の変換器１３０および第２の変換器１４０を相互に時間整合させてもよい。
【００１９】
本開示の特徴によれば、第１の変換器１３０は、デジタル・アナログ変換器、または複数の信号チャネルを有する複数のデジタル・アナログ変換器を含んでもよい。第１の変換器１３０は、サンプリングされた入力から出力電圧を生成し、次いで新たな出力電圧が生成される出力時間の次周期まで、出力電圧を出力時間の一周期にわたって保持する、サンプリングされた変換器であってもよい。
【００２０】
本開示の特徴によれば、第２の変換器１３０は、アナログ・デジタル変換器、または並行した複数のアナログ・デジタル変換器を含んでもよい。電力増幅器１５０は、第１の周波数で歪信号を作り出す場合があり、第２の変換器１４０は、第１の周波数よりも低い第２の周波数によるタイミング信号を使用して出力信号をサンプリングして、フィードバック信号を生成してもよい。つまり、第２の変換器１４０は、出力信号において生成される歪信号の周波数よりも低い周波数で、出力信号のサンプリングを取ってもよい。
【００２１】
電力増幅器の非線形性１５０は、線形入力信号を歪めて、線形入力信号の周波数よりも高い周波数の周波数で多元の歪信号を作り出す場合がある。より高い周波数の歪信号を補償するために、歪信号を含む出力信号のサンプルが第２の変換器１４０によって取られる。入力信号の周波数が通信技術の進歩と共により高くなるにつれて、第２の変換器におけるサンプリングの周波数は、高くなりすぎる場合があり、また実用的でないほどに多くの電力を必要とする場合がある。
【００２２】
実際面では、歪信号のみを補償することで十分であり、したがって、歪信号のみが、ＰＡの非線形性を補償するために前置増幅された信号を生成するのに有用な情報を含む。故に、第２の変換器１４０は、歪信号についての十分な情報を得るのに十分なだけの出力信号をサンプリングする必要があるのみである。故に、第２の変換器１４０は、出力信号をアンダーサンプリングして、フィードバック信号を生成してもよい。
【００２３】
図２Ａおよび２Ｂは、本発明の実施形態と一致する、モデル化された前置歪みを生成するためのアンダーサンプリングの効果を例示する。図２Ａは、２Ｏｒｄおよび３Ｏｒｄとしてラベル付けされる、電力増幅器によって２つの周波数で生成され得る出力信号における例となる歪信号２１０、２２０を例示する。図２Ａはまた、歪信号２１０、２２０の周波数よりも低い場合がある、変換器によって行われるサンプリング周波数２３０も例示する。結果として生じるサンプリングされた信号は、周波数ミラーリングに起因してより低い周波数の歪成分２４０、２５０を含み得る。
【００２４】
図２Ｂは、モデル化される歪信号２６０、２７０を作成するためにサンプリングされた信号２４０、２５０が使用され得、それが歪信号を補償するために使用され得ることを例示する。一旦、前置補償器１１０において、サンプリングされたフィードバックがモデル化される、例えば、ネガティブフィードバックとして補償されると、第１の変換器１３０は、例えば、サンプリング周波数またはタイミングで前置歪信号を変調することによって、前置増幅された信号を生成するときに第２の変換器１４０と同じサンプリング周波数または同じタイミングを使用してもよい。故に、結果として生じる前置増幅された信号は、高域周波数グラフにおける歪信号と同じ周波数でモデル化された前置歪みについて補償されてもよい。
【００２５】
別の実施形態によれば、第２の周波数は、前置歪信号の周波数よりも大きくてもよい。つまり、第２の周波数、すなわち、第２の変換器１４０のサンプリング周波数は、前置歪信号の周波数よりも大きくてもよい。
【００２６】
第２の変換器１４０によるアンダーサンプリングは、複数の方式で遂行されてもよい。
【００２７】
第１の実施形態において、第２の変換器１４０は、第２の周波数の各サンプリング周期内で１回、出力信号をサンプリングする、アナログ・デジタル変換器を含んでもよい。図３Ａは、第２の変換器１４０のために使用され得る、例となるサンプリング信号を例示する。この事例において、第２の変換器１４０における単一のアナログ・デジタル変換器は、サンプリング信号の各サンプリング周期内で１回、例えば、サンプリング信号の立ち上がりエッジまたは立ち下がりエッジにおいて、出力信号をサンプリングしてもよい。
【００２８】
別の実施形態において、第２の変換器１４０は、第２の周波数のサンプリング周期内で出力信号を順次サンプリングするように順番に作動される、複数のアナログ・デジタル変換器を含んでもよい。図３Ｂは、第２の変換器１４０のために使用され得る、例となるサンプリング信号を例示する。この事例において、第２の変換器１４０に含まれる複数のアナログ・デジタル変換器は、相互に並行して接続され、各々が、サンプリング周期内の異なる時間に出力信号をサンプリングしてもよい。結果として生じるフィードバック信号は、組み合わされてもよい。別個のサンプリング信号を各々個々のアナログ・デジタル変換器のために使用して、それらのサンプリング信号が、相互にオフセットされるタイミングを有することにより、各々個々のアナログ・デジタル変換器が、異なる時間に、例えば、サンプリング信号の複数のオフセット立ち上がりエッジまたは立ち下がりエッジにおいて、出力信号をサンプリングすることを可能にしてもよい。代替的に、複数のアナログ・デジタル変換器は、同じサンプリング信号を共有してもよいが、カスケード様式で相互にトリガしてもよい。
【００２９】
更なる実施形態において、第２の変換器１４０は、第２の周波数の各サンプリング周期内で１回を超えて出力信号をサンプリングする、アナログ・デジタル変換器を含んでもよい。図３Ｃは、第２の変換器１４０のために使用され得る、例となるサンプリング信号を例示する。この事例において、第２の変換器１４０における単一のアナログ・デジタル変換器は、サンプリング信号の各サンプリング周期内で複数回、例えば、サンプリング信号の立ち上がりエッジまたは立ち下がりエッジにおいて、出力信号をサンプリングしてもよい。この場合、そこでサンプリング信号は、各サンプリング周期内で複数のサブサンプリングパルスを含み、故に、第２の変換器１４０が各サンプリング周期中に複数回出力信号をサンプリングすることを可能にし得る。
【００３０】
図３Ａ〜３Ｃに例示されるかかるアンダーサンプリング技法を用いて、第２の変換器１４０は、経時的なサンプルの数を低減し、故に、電力要求を低減してもよい。図３Ｂおよび３Ｃに例示されるアンダーサンプリング技法は、アンダーサンプリングを同時に行いながら、複数のサンプリングを効果的に達成し得る。つまり、それらの全体的なサンプリングレートは、歪信号の周波数よりも少ないが、それらは、追加の電力消費を消費して、図３Ａにあるものと比べて追加の数のサンプルを提示し得る。図３Ｂおよび３Ｃにおいて行われる追加のサンプリングは、電力増幅器１５０におけるメモリ効果に対する補償を増加させるために、前置補償器に追加の情報を提供してもよい。
【００３１】
更に、図３Ｂに例示される技法は、第２の変換器１４０における複数のアナログ・デジタル変換器において追加のハードウェア部品を必要とし得る一方で、図３Ｃにおいては、単一のアナログ・デジタル変換器のみが必要とされ得る。加えて、記載される技法の組み合わせを使用して、第２の変換器１４０におけるアンダーサンプリングを達成してもよく、サンプリング周波数およびサンプリング信号は、ＰＡの性能要求に適合するように、必要に応じてリアルタイムで調整されてもよい。
【００３２】
図４は、電力増幅器における歪みを補償するための例となる方法４００を例示する。方法は、ブロック４１０で、第１の変換器１３０によって、前置歪信号に基づいて前置増幅された信号を生成することを含んでもよい。ブロック４２０で、電力増幅器１５０は、前置増幅された信号および入力信号に基づいて出力信号を生成する。ブロック４３０で、第２の変換器１４０は、アンダーサンプリングによって出力信号をサンプリングして、フィードバック信号を生成する。ブロック４４０で、前置補償器１１０は、入力信号に基づいて前置歪信号を生成する。
【００３３】
本開示は、複数の例となる実施形態を参照して記載されてきたが、使用されてきた語は、限定する語であるよりはむしろ、説明および例示する語であることが理解される。添付の特許請求の範囲の権限内で、現在定められ、また補正されるように、その態様において本開示の範囲および趣旨から逸脱することなく、変更が行われてもよい。本開示は、特定の手段、材料、および実施形態を参照して記載されてきたが、本開示は、開示される詳細に限定されるようには意図されず、むしろ本開示は、添付の特許請求の範囲の範囲内にあるもの等の、全ての機能的に均等の構造、方法、および使用にまで及ぶ。
【００３４】
コンピュータ可読媒体は、単一の媒体として記載され得るが、「コンピュータ可読媒体」という用語は、集中データベースもしくは分散データベース等の単一の媒体もしくは複数の媒体、ならびに／または１つ以上の組の命令を記憶する関連付けられたキャッシュおよびサーバーを含む。「コンピュータ可読媒体」という用語はまた、本明細書に開示される実施形態のうちの任意の１つ以上をプロセッサによって実行するための、またはコンピュータシステムにそれを行わせる、１組の命令を記憶する、符号化する、または携持することが可能である、任意の媒体を含むものとする。
【００３５】
コンピュータ可読媒体は、非一時的なコンピュータ可読媒体（単数または複数）を含んでも、かつ／または一時的なコンピュータ可読媒体（単数または複数）を含んでもよい。特定の非限定的な例となる実施形態において、コンピュータ可読媒体は、メモリカードまたは１つ以上の不揮発性読み取り専用メモリを収容する他のパッケージ等の、固体メモリを含むことができる。更に、コンピュータ可読媒体は、ランダムアクセスメモリまたは他の揮発性書き換え可能なメモリあり得る。加えて、コンピュータ可読媒体は、ディスクもしくはテープまたは伝送媒体を介して通信される信号等の搬送波信号を捕捉するための他のストレージデバイス等の、光磁気媒体または光媒体を含むことができる。したがって、本開示は、データまたは命令が記憶され得る、任意のコンピュータ可読媒体または他の均等物および後継媒体を含むと考えられている。
【００３６】
本出願は、コンピュータ可読媒体において符号セグメントとして実装されてもよい特定の実施形態を記載するが、アプリケーションに特化した集積回路、プログラマブルロジックアレイ、および他のハードウェアデバイス等の専用のハードウェア実装形態を構築して、本明細書に記載される実施形態のうちの１つ以上を実装可能であることが理解されるべきである。本明細書に記載される種々の実施形態を含み得る用途は、様々な電子およびコンピュータシステムを広く含んでもよい。したがって、本出願は、ソフトウェア、ファームウェア、およびハードウェア実装、またはそれらの組み合わせを包含してもよい。
【００３７】
本明細書は、特定の実施形態において、特定の規格およびプロトコルを参照して実装され得る、構成要素および機能を記載するものであり、本開示は、かかる規格およびプロトコルに限定されない。かかる規格は、定期的に、本質的に同じ機能を有する、より高速のまたはより効率的な均等物に取って代わられる。したがって、同じまたは同様の機能を有する置換の規格およびプロトコルは、それらの均等物と見なされる。
【００３８】
本明細書に記載される実施形態の図解は、種々の実施形態の一般的理解を提供するように意図される。図解は、本明細書に記載される構造または方法を利用する、装置およびシステムの要素および特徴の全ての完全な説明としての役目を果たすようには意図されない。本開示を再検討すれば、多くの他の実施形態が当業者に明らかとなり得る。本開示の範囲から逸脱することなく構造的および論理的置換および変更が行われてもよいように、本開示から他の実施形態が利用および派生されてもよい。加えて、例示は、代表的なものにすぎず、一定の縮尺で描かれていない場合がある。図解内のある特定の比率は、誇張される場合がある一方で、他の比率は、最小化される場合がある。したがって、本開示および図は、制限的であるよりはむしろ例示説明として見なされるべきである。
【００３９】
本開示の１つ以上の実施形態は、本明細書で、個々におよび／または集合的に、単に利便性のために「本開示」という用語によって、本出願の範囲を任意の特定の開示または発明的概念に自発的に限定することを意図することなく、言及され得る。更に、具体的な実施形態が本明細書に例示され、記載されてきたが、同じまたは同様の目的を達成するように設計される任意の後続の取り決めが、示される具体的な実施形態の代わりに置換され得ることが理解されるべきである。本開示は、種々の実施形態のありとあらゆる後続の適応または変形形態を網羅するように意図される。本明細書に具体的に記載されない上の実施形態の組み合わせ、および他の実施形態は、本説明を再検討すれば、当業者に明らかとなろう。
【００４０】
加えて、前述の詳細な説明において、種々の特徴は、本開示を効率化する目的のために、一緒にグループ化されても、または単一の実施形態において記載されてもよい。本開示は、特許請求される実施形態が、各請求項に明示的に列挙されるものよりも多い特徴を必要とするという意図を反映するものとして解釈されるものではない。むしろ、次の特許請求の範囲が反映するように、発明の対象物は、開示される実施形態のいずれかの特徴の全てよりも少ないものを対象としてもよい。故に、次の特許請求の範囲は、詳細な説明に組み込まれ、各請求項が、別個に特許請求される対象物を規定するものとしてそれ自体で成立している。
【００４１】
上に開示される対象物は、制限的なものではなく例示説明として見なされるものであり、添付の特許請求の範囲は、本開示の真の趣旨および範囲内に入る全てのかかる修正、向上、および他の実施形態を網羅するように意図される。故に、法律によって許可される最大限の程度まで、本開示の範囲は、次の特許請求の範囲およびそれらの均等物の許容される限り広義の解釈によって決定されるものであり、前述の詳細な説明によって制限または限定されないものとする。
【符号の説明】
【００４２】
１００  増幅システム
１１０  前置補償器
１３０  第１の変換器
１４０  第２の変換器
１５０  電力増幅器
１６０  結合
１７０  アンテナ
【図１】
2014179981.tif 000003
【図２】
2014179981.tif 000004
【図３】
2014179981.tif 000005
【図４】
2014179981.tif 000006
【外国語明細書】
2014179981000001.pdf